【手続補正書】
【提出日】平成23年5月20日(2011.5.20)
【手続補正１】
【補正対象書類名】特許請求の範囲
【補正対象項目名】全文
【補正方法】変更
【補正の内容】
【特許請求の範囲】
【請求項１】
固体発光素子を用いた照明装置であって、
前記固体発光素子が配置される支持手段と、
前記支持手段が内部に配置され、前記固体発光素子の発光方向に透光性を有し構成される筐体手段と、
前記筐体手段の内部壁面に該筐体手段と一体に形成されると共に、該筐体手段の長手方向に沿い、かつ前記固体発光素子の発光方向に対する両側面に設けられる支持プレートと
を備え、
前記支持手段は、前記固体発光素子の非発光方向側の前記筐体手段の内部壁面である非発光側壁面と対向する面が、前記非発光側壁面と密着可能に形成されて、前記支持プレートと前記非発光側壁面との間に嵌合配置される
ことを特徴とする照明装置。
【請求項２】
固体発光素子を用いた照明装置であって、
前記固体発光素子が実装基板を介して配置される支持手段と、
前記支持手段が内部に配置され、前記固体発光素子の発光方向に透光性を有し構成される筐体手段と、
前記筐体手段の内部壁面に該筐体手段と一体に形成されると共に、該筐体手段の長手方向に沿い、かつ前記固体発光素子の発光方向に対する両側面に設けられる支持プレートと
を備え、
前記支持手段は、前記固体発光素子の非発光方向側の前記筐体手段の内部壁面である非発光側壁面と対向する面が、前記非発光側壁面と密着可能に形成されて、前記実装基板と共に、前記支持プレートと前記非発光側壁面との間に嵌合配置される
ことを特徴とする照明装置。
【請求項３】
固体発光素子を用いた照明装置であって、
前記固体発光素子が配置される支持手段と、
前記支持手段が内部に配置され、前記固体発光素子の発光方向に透光性を有し構成される筐体手段と、
前記筐体手段の内部壁面に該筐体手段と一体に形成されると共に、該筐体手段の長手方向に沿い、かつ前記固体発光素子の発光の方向に対する両側面に形成される支持プレートと
を備え、
前記支持手段は、前記固体発光素子の非発光方向側の前記筐体手段の内部壁面である非発光側壁面と対向する面が、前記非発光側壁面と密着可能に形成されると共に、両側面に前記支持プレートを受け入れる凹部が形成されて、該凹部に前記支持プレートを受け入れることで、該支持プレートと前記非発光側壁面との間に、前記凹部より前記固体発光素子の非発光方向側の部分が嵌合配置される
ことを特徴とする照明装置。
【請求項４】
前記支持手段の前記固体発光素子が配置される面には、前記筐体手段の長手方向に沿い、かつ、前記固体発光素子の発光方向に対する両側に、所定角度傾斜した前記固体発光素子からの光を反射する反射面が形成される
ことを特徴とする請求項３に記載の照明装置。
【請求項５】
固体発光素子を用いた照明装置であって、
前記固体発光素子が配置される支持手段と、
前記支持手段が内部に配置され、前記固体発光素子の発光方向に透光性を有し構成される筐体手段と、
前記筐体手段の内部壁面に該筐体手段と一体に形成されると共に、該筐体手段の長手方向に沿い、かつ前記固体発光素子の発光方向に対する両側面に設けられる支持プレートと、
前記支持プレートと離間し、かつ平行に、前記筐体手段の内部壁面に該筐体手段と一体に形成される第２支持プレートと
を備え、
前記支持手段は、前記固体発光素子の発光方向に対する両側面側の前記筐体手段の内部壁面である側面側壁面と対向する面が、前記側面側壁面と密着可能に形成されて、前記支持プレートと前記第２の支持プレートとの間に嵌合配置される
ことを特徴とする照明装置。
【請求項６】
固体発光素子を用いた照明装置であって、
前記固体発光素子が実装基板を介して配置される支持手段と、
前記支持手段が内部に配置され、前記固体発光素子の発光方向に透光性を有し構成される筐体手段と、
前記筐体手段の内部壁面に該筐体手段と一体に形成されると共に、該筐体手段の長手方向に沿い、かつ前記固体発光素子の発光方向に対する両側面に設けられる支持プレートと、
前記支持プレートと離間し、かつ平行に、前記筐体手段の内部壁面に該筐体手段と一体に形成される第２支持プレートと
を備え、
前記支持手段は、前記固体発光素子の発光方向に対する両側面側の前記筐体手段の内部壁面である側面側壁面と対向する面が、前記側面側壁面と密着可能に形成されて、前記実装基板と共に、前記支持プレートと前記第２の支持プレートとの間に嵌合配置される
ことを特徴とする照明装置。
【手続補正２】
【補正対象書類名】明細書
【補正対象項目名】００１１
【補正方法】変更
【補正の内容】
【００１１】
上記目的を達成するために、本発明に係る照明装置は、固体発光素子を用いた照明装置であって、前記固体発光素子が配置される支持手段と、前記支持手段が内部に配置され、前記固体発光素子の発光方向に透光性を有し構成される筐体手段と、前記筐体手段の内部壁面に該筐体手段と一体に形成されると共に、該筐体手段の長手方向に沿い、かつ前記固体発光素子の発光方向に対する両側面に設けられる支持プレートとを備え、前記支持手段は、前記固体発光素子の非発光方向側の前記筐体手段の内部壁面である非発光側壁面と対向する面が、前記非発光側壁面と密着可能に形成されて、前記支持プレートと前記非発光側壁面との間に嵌合配置される。
【手続補正３】
【補正対象書類名】明細書
【補正対象項目名】００１２
【補正方法】変更
【補正の内容】
【００１２】
この構成により、筐体手段の長手方向の長さが長く、そりが発生しても、支持手段が、支持プレートを利用して、筐体手段の内部壁面に密着可能とされるため、当該そりが矯正される。これにより照明装置の放熱性の低下を防ぐことができる。
【手続補正４】
【補正対象書類名】明細書
【補正対象項目名】００１４
【補正方法】変更
【補正の内容】
【００１４】
また、本発明に係る照明装置は、固体発光素子を用いた照明装置であって、前記固体発光素子が実装基板を介して配置される支持手段と、前記支持手段が内部に配置され、前記固体発光素子の発光方向に透光性を有し構成される筐体手段と、前記筐体手段の内部壁面に該筐体手段と一体に形成されると共に、該筐体手段の長手方向に沿い、かつ前記固体発光素子の発光方向に対する両側面に設けられる支持プレートと、を備え、前記支持手段は、前記固体発光素子の非発光方向側の前記筐体手段の内部壁面である非発光側壁面と対向する面が、前記非発光側壁面と密着可能に形成されて、前記実装基板と共に、前記支持プレートと前記非発光側壁面との間に嵌合配置される。この構成により、上記効果に加え、実装基板の支持手段からの浮き上がりを防止することができる。
【手続補正５】
【補正対象書類名】明細書
【補正対象項目名】００１５
【補正方法】変更
【補正の内容】
【００１５】
また、本発明にかかる照明装置は、固体発光素子を用いた照明装置であって、前記固体発光素子が配置される支持手段と、前記支持手段が内部に配置され、前記固体発光素子の発光方向に透光性を有し構成される筐体手段と、前記筐体手段の内部壁面に該筐体手段と一体に形成されると共に、該筐体手段の長手方向に沿い、かつ前記固体発光素子の発光の方向に対する両側面に形成される支持プレートとを備え、前記支持手段は、前記固体発光素子の非発光方向側の前記筐体手段の内部壁面である非発光側壁面と対向する面が、前記非発光側壁面と密着可能に形成されると共に、両側面に前記支持プレートを受け入れる凹部が形成されて、該凹部に前記支持プレートを受け入れることで、該支持プレートと前記非発光側壁面との間に、前記凹部より前記固体発光素子の非発光方向側の部分が嵌合配置される。この構成により、上記同様の効果を得ることができる。ここで、前記支持手段の前記固体発光素子が配置される面には、前記筐体手段の長手方向に沿い、かつ、前記固体発光素子の発光方向に対する両側に、所定角度傾斜した前記固体発光素子からの光を反射する反射面が形成されるとしてもよい。このようにすることで、光ムラを緩和できる。
【手続補正６】
【補正対象書類名】明細書
【補正対象項目名】００１６
【補正方法】変更
【補正の内容】
【００１６】
また、本発明に係る照明装置は、固体発光素子を用いた照明装置であって、前記固体発光素子が配置される支持手段と、前記支持手段が内部に配置され、前記固体発光素子の発光方向に透光性を有し構成される筐体手段と、前記筐体手段の内部壁面に該筐体手段と一体に形成されると共に、該筐体手段の長手方向に沿い、かつ前記固体発光素子の発光方向に対する両側面に設けられる支持プレートと、前記支持プレートと離間し、かつ平行に、前記筐体手段の内部壁面に該筐体手段と一体に形成される第２支持プレートとを備え、前記支持手段は、前記固体発光素子の発光方向に対する両側面側の前記筐体手段の内部壁面である側面側壁面と対向する面が、前記側面側壁面と密着可能に形成されて、前記支持プレートと前記第２の支持プレートとの間に嵌合配置される。また、固体発光素子を用いた照明装置であって、前記固体発光素子が実装基板を介して配置される支持手段と、前記支持手段が内部に配置され、前記固体発光素子の発光方向に透光性を有し構成される筐体手段と、前記筐体手段の内部壁面に該筐体手段と一体に形成されると共に、該筐体手段の長手方向に沿い、かつ前記固体発光素子の発光方向に対する両側面に設けられる支持プレートと、前記支持プレートと離間し、かつ平行に、前記筐体手段の内部壁面に該筐体手段と一体に形成される第２支持プレートとを備え、前記支持手段は、前記固体発光素子の発光方向に対する両側面側の前記筐体手段の内部壁面である側面側壁面と対向する面が、前記側面側壁面と密着可能に形成されて、前記実装基板と共に、前記支持プレートと前記第２の支持プレートとの間に嵌合配置される。
【手続補正７】
【補正対象書類名】明細書
【補正対象項目名】００１７
【補正方法】変更
【補正の内容】
【００１７】
この構成により、上記同様に、照明装置の放熱性の低下を防ぐことができる。